(57)【要約】      （修正有）【課題】アナログでありながらデジタル表示させつつ、時間の流れを感じることができる表示装置及びこれを用いた時計を提供する。【解決手段】表示装置１は、ベース部材２と、マスク部材３と、を備える。マスク部材３は、ベース部材２のベース面２ａを部分的に遮蔽するマスク模様５を有し、マスク模様５は第１ストライプ模様５０と第２ストライプ模様５１とを含む。ベース面２ａには、第１図素６ａと第２図素６ｂが表記されている。第１図素６ａは、元図としての図形又は記号のうち、第１ストライプ模様５０に対応する特定部分を消去して残った部分の集合体であって、マスク部材３が所定の第１位置に位置するとき、第１ストライプ模様５０の隙間から第１図素６ａが露出し、遮蔽補完効果によって元図が可視化されて表示される。マスク部材３が第１位置から所定方向に移動するに従い、第１図素６ａの露出割合は減少し、元図の表示が徐々に消えていく。【選択図】図１
2020003347.tif 000002
【特許請求の範囲】
【請求項１】
遮蔽補完効果を利用して図形や記号を可視化させる表示装置であって、
第１図素と第２図素を有するベース部材と、
前記ベース部材に近接し、かつ対向して配置されたマスク部材と、
前記マスク部材を前記ベース部材に対して第１所定方向に相対的に移動させる駆動機構と、を備え、
前記マスク部材は前記ベース部材を部分的に遮蔽するマスク模様を含み、
前記マスク模様は、複数本の第１ラインからなる第１ストライプ模様と、複数本の第２ラインからなり前記第１ストライプ模様とは異なる第２ストライプ模様と、を含み、
前記第１図素は、第１の図形または記号のうち前記第１ストライプ模様に対応する特定部分を消去して残った部分の集合体であって、
前記第２図素は、第２の図形または記号のうち前記第１ストライプ模様に対応する特定部分を消去して残った部分の集合体であって、
前記マスク部材が第１位置にあるとき、前記第１ストライプ模様の隙間から前記第１図素が露出して前記第１の図形または記号が可視化され、
前記マスク部材が前記第１位置よりも前記第１所定方向下流側に位置する第２位置にあるとき、前記第１ストライプ模様の隙間から前記第２図素が露出して前記第２の図形または記号が可視化されると共に、前記第２ストライプ模様が前記第１図素を部分的に遮蔽することで前記第１の図形または記号の可視化が妨げられ、
前記マスク模様によって遮蔽される前記第１図素の割合は、前記マスク部材が前記第１位置から前記第２位置へ向かって移動するに従い増大し、
前記マスク部材が前記第１位置から前記第２位置まで移動する間において、前記第マスク模様の隙間から露出する前記第１図素の割合が５０％以上となる第１時間長さは、前記マスク部材が前記第１位置から前記第２位置まで移動するのに要する所定時間長さの５０％以上であることを特徴とする表示装置。
【請求項２】
前記マスク部材が前記第１位置にあるとき、前記第１図素が占める前記ベース面上の領域と重なる前記第１ラインの本数は４本〜１０本であって、
前記第１所定方向に垂直な第２所定方向において、隣り合う一対の前記第１ラインの間の隙間の大きさは、当該一対の前記第１ラインの太さの平均値の０．２倍〜０．７倍であり、
前記第１ラインの前記第１所定方向に対する角度は±１０度以内であることを特徴とする請求項１に記載の表示装置。
【請求項３】
前記マスク部材が前記第２位置にあるとき、前記第１図素が占める前記ベース面上の領域と重なる前記第２ラインの本数は２本〜６本であって、
前記第２所定方向において、隣り合う一対の前記第２ラインの間の隙間の大きさは、当該一対の前記第２ラインの太さの平均値の０．５倍〜５倍であることを特徴とする請求項２に記載の表示装置。
【請求項４】
前記マスク部材が、前記第１位置よりも前記第１所定方向上流側に位置する第３位置にあるとき、前記マスク模様の隙間から露出する前記第１図素の割合は５０％であり、
前記マスク部材が前記第３位置から前記第１位置へ近づくに従い前記マスク模様の隙間から露出する前記第１図素の割合は漸増し、
前記マスク部材が前記第３位置から前記第１位置まで移動するのに要する第２時間長さは、前記第１時間長さよりも短いことを特徴とする請求項１ないし３の何れかに記載の表示装置。
【請求項５】
遮蔽補完効果を利用して図形や記号を可視化させる表示装置であって、
マスク模様を含むマスク部材と
前記マスク部材に近接し、かつ対向して配置されるベース部材と、
前記マスク部材を前記ベース部材に対して第１所定方向に相対的に移動させる駆動機構と、を備え、
前記ベース部材は、前記マスク部材を光学的に遮蔽する第１図素と第２図素を有し、
前記マスク模様は、複数本の第１ラインからなる第１ストライプ模様と、複数本の第２ラインからなり前記第１ストライプ模様とは異なる第２ストライプ模様と、を含み、
前記第１図素は、第１の図形または記号のうち前記第１ストライプ模様に対応する特定部分を消去して残った部分の集合体であって、
前記第２図素は、第２の図形または記号のうち前記第１ストライプ模様に対応する特定部分を消去して残った部分の集合体であって、
前記マスク部材が第１位置にあるとき、前記第１図素の隙間から前記第１ストライプ模様が露出して前記第１の図形または記号が可視化され、
前記マスク部材が前記第１位置よりも前記第１所定方向下流側に位置する第２位置にあるとき、前記第２図素の隙間から前記第１ストライプ模様が露出して前記第２の図形または記号が可視化されると共に、前記第２ストライプ模様と前記第１図素が部分的に重なることで前記第１ストライプ模様が部分的に光学的に遮蔽されて前記第１の図形または記号の可視化が妨げられ、
前記マスク模様に重なる前記第１図素の割合は、前記マスク部材が前記第１位置から前記第２位置へ向かって移動するに従い増大し、
前記マスク部材が前記第１位置から前記第２位置まで移動する間において、前記第マスク模様に重なる前記第１図素の割合が５０％以上となる第１時間長さは、前記マスク部材が前記第１位置から前記第２位置まで移動するのに要する所定時間長さの５０％以上であることを特徴とする表示装置。
【請求項６】
請求項１ないし５の何れかに記載の表示装置を用いたことを特徴とする時計。
【発明の詳細な説明】
【技術分野】
【０００１】
本発明は、液晶表示などの電気的表示機構を使わないで、機械式で簡易な機構で図案や記号を出現・消失させるなどの変化を生じさせる表示装置に関するものであり、またそれを用いた時計に関する。
【背景技術】
【０００２】
時計などで使われる表示装置には、アナログ方式とデジタル方式の２種類がある。アナログ表示装置は、時間を表すための文字や記号を表記した文字盤と、現在時や分を指し示す時針、分針と、それらを駆動する駆動装置（ムーブメント）からなる。刻々と位置を変化させる時針・分針がそれぞれ文字や記号を指し示すことで、その物理的な位置関係から時刻を読み取り、時刻を認識できる。
他方、デジタル表示装置は、液晶表示装置などの電気式表示装置で時刻や分を表す数字を表示する。その数字から時刻を直接読み取り、認識できる。
アナログ方式とデジタル方式のいずれの方式も、今現在の時刻を表しており、読み取った現在時刻から、過ぎ去った時間の長さや、未来のある時刻まであとどれくらいかかるかを計算し知ることができる。
【０００３】
このように、時計に用いられている表示装置の基本的機能は、今現在の時刻を知ることであるが、表示装置にそれ以上の表現を求める要求が高まっている。
例えば、時間の流れそのものを感じられる時計が求められている。この例として、砂時計は時刻を正確に表すことはできないが、落下し、積み重なる砂粒の挙動は、見ていて飽きない楽しさがある。その砂粒の挙動が、目に見えない時間の流れを感じさせてくれるのである。
【０００４】
時間の流れを感じられる時計として、例えば、文字盤の数字が出現し消滅する意匠が意匠文献１に提案されている。
この時計は、１〜１２時を表した文字盤の上に円板状の時針と針状の分針を設けたものであり、時針は不透明な円板の一部に文字盤の数字が丁度見えるよう小さな円状の透明部とスリット状の透明部が設けられている。
各時刻丁度の時間（正時）になるとこの透明円部と数字が重なり、文字盤の数字が読み取れるが、正時以外の時刻では透明円部と数字が重ならず、透明スリット部から前後の数字がわずかに見えるだけなので、何時であるのかが分らない。この欠点を補うため、針状の分針が設けられているが十分ではない。
【先行技術文献】
【非特許文献】
【０００５】
【非特許文献１】意匠登録１４２１７３８号公報
【発明の概要】
【発明が解決しようとする課題】
【０００６】
上記従来技術は、文字盤の数字が出現しまた消滅する変化を可視化している点で時間の流れを表していると言えるが、数字が現れてきちんと認識できるのは正時の一瞬だけであり、時刻がそこからずれていると時針が何時を示しているかが分らないという問題がある。また、それを補うため、針状の分針を設けているので、針に頼らないで時間を表すという意匠の魅力が大きく損なわれている。
その結果、時間の流れを感じるという効果が損なわれている。
【０００７】
本発明は、上記問題を解消し、機械式アナログ表示装置でありながら図形や記号を可視化させつつ、デジタル表示装置にはない時間の流れを感じることができる表示装置、及びこれを用いた時計を提供することを目的とする。
【課題を解決するための手段】
【０００８】
上記目的を達成するために、本発明の表示装置は、遮蔽補完効果を利用して図形や記号を可視化させる表示装置であって、
第１図素と第２図素を有するベース部材と、
前記ベース部材に近接し、かつ対向して配置されたマスク部材と、
前記マスク部材を前記ベース部材に対して第１所定方向に相対的に移動させる駆動機構と、を備え、
前記マスク部材は前記ベース部材を部分的に遮蔽するマスク模様を含み、
前記マスク模様は、複数本の第１ラインからなる第１ストライプ模様と、複数本の第２ラインからなり前記第１ストライプ模様とは異なる第２ストライプ模様と、を含み、
前記第１図素は、第１の図形または記号のうち前記第１ストライプ模様に対応する特定部分を消去して残った部分の集合体であって、
前記第２図素は、第２の図形または記号のうち前記第１ストライプ模様に対応する特定部分を消去して残った部分の集合体であって、
前記マスク部材が第１位置にあるとき、前記第１ストライプ模様の隙間から前記第１図素が露出して前記第１の図形または記号が可視化され、
前記マスク部材が前記第１位置よりも前記第１所定方向下流側に位置する第２位置にあるとき、前記第１ストライプ模様の隙間から前記第２図素が露出して前記第２の図形または記号が可視化されると共に、前記第２ストライプ模様が前記第１図素を部分的に遮蔽することで前記第１の図形または記号の可視化が妨げられ、
前記マスク模様によって遮蔽される前記第１図素の割合は、前記マスク部材が前記第１位置から前記第２位置へ向かって移動するに従い増大し、
前記マスク部材が前記第１位置から前記第２位置まで移動する間において、前記第マスク模様の隙間から露出する前記第１図素の割合が５０％以上となる第１時間長さは、前記マスク部材が前記第１位置から前記第２位置まで移動するのに要する所定時間長さの５０％以上であることを特徴とする。
【０００９】
マスク部材がマスク模様を含むとは、マスク模様が印刷や塗装などの任意の表示方法を用いてマスク部材に形成されている部分を含む状態をいう。あるいは、マスク部材の形自身がマスク模様の形になっている部分、すなわちマスク模様の形にくり抜かれたような部分を含む状態をいう。
【００１０】
また、本発明の表示装置は、前記マスク部材が前記第１位置にあるとき、前記第１図素が占める前記ベース面上の領域と重なる前記第１ラインの本数は４本〜１０本であって、
前記第１所定方向に垂直な第２所定方向において、隣り合う一対の前記第１ラインの間の隙間の大きさは、当該一対の前記第１ラインの太さの平均値の０．２倍〜０．７倍であり、
前記第１ラインの前記第１所定方向に対する角度は±１０度以内であることを特徴とする。
【００１１】
また、本発明の表示装置は、前記マスク部材が前記第２位置にあるとき、前記第１図素が占める前記ベース面上の領域と重なる前記第２ラインの本数は２本〜６本であって、
前記第２所定方向において、隣り合う一対の前記第２ラインの間の隙間の大きさは、当該一対の前記第２ラインの太さの平均値の０．５倍〜５倍であることを特徴とする。
【００１２】
また、本発明の表示装置は、前記マスク部材が、前記第１位置よりも前記第１所定方向上流側に位置する第３位置にあるとき、前記マスク模様の隙間から露出する前記第１図素の割合は５０％であり、
前記マスク部材が前記第３位置から前記第１位置へ近づくに従い前記マスク模様の隙間から露出する前記第１図素の割合は漸増し、
前記マスク部材が前記第３位置から前記第１位置まで移動するのに要する第２時間長さは、前記第１時間長さよりも短いことを特徴とする。
【００１３】
また、本発明の表示装置は、遮蔽補完効果を利用して図形や記号を可視化させる表示装置であって、
マスク模様を含むマスク部材と
前記マスク部材に近接し、かつ対向して配置されるベース部材と、
前記マスク部材を前記ベース部材に対して第１所定方向に相対的に移動させる駆動機構と、を備え、
前記ベース部材は、前記マスク部材を光学的に遮蔽する第１図素と第２図素を有し、
前記マスク模様は、複数本の第１ラインからなる第１ストライプ模様と、複数本の第２ラインからなり前記第１ストライプ模様とは異なる第２ストライプ模様と、を含み、
前記第１図素は、第１の図形または記号のうち前記第１ストライプ模様に対応する特定部分を消去して残った部分の集合体であって、
前記第２図素は、第２の図形または記号のうち前記第１ストライプ模様に対応する特定部分を消去して残った部分の集合体であって、
前記マスク部材が第１位置にあるとき、前記第１図素の隙間から前記第１ストライプ模様が露出して前記第１の図形または記号が可視化され、
前記マスク部材が前記第１位置よりも前記第１所定方向下流側に位置する第２位置にあるとき、前記第２図素の隙間から前記第１ストライプ模様が露出して前記第２の図形または記号が可視化されると共に、前記第２ストライプ模様と前記第１図素が部分的に重なることで前記第１ストライプ模様が部分的に光学的に遮蔽されて前記第１の図形または記号の可視化が妨げられ、
前記マスク模様に重なる前記第１図素の割合は、前記マスク部材が前記第１位置から前記第２位置へ向かって移動するに従い増大し、
前記マスク部材が前記第１位置から前記第２位置まで移動する間において、前記第マスク模様に重なる前記第１図素の割合が５０％以上となる第１時間長さは、前記マスク部材が前記第１位置から前記第２位置まで移動するのに要する所定時間長さの５０％以上であることを特徴とする。
【００１４】
また、本発明の表示装置を表示に用いたことを特徴とする時計である。
【発明の効果】
【００１５】
本発明の表示装置によれば、前記マスク模様によって遮蔽される前記第１図素の割合は、前記マスク部材が前記第１位置から前記第２位置へ向かって移動するに従い増大し、前記マスク部材が前記第１位置から前記第２位置まで移動する間において、前記マスク模様の隙間から露出する前記第１図素の割合が５０％以上となる第１時間長さは、前記マスク部材が前記第１位置から前記第２位置まで移動するのに要する所定時間長さの５０％以上であるので、前記マスク部材が前記第１位置から前記第２位置へ移動するまでの間において、遮蔽補完効果によって前記第１の図形又は記号が可視化された状態が一定時間持続すると共に、可視化の度合いが徐々に低下していく。これにより、前記第１の図形又は記号が読み取れる時間を一定時間確保しつつ、表示が徐々に風化するような時間の経過を表現できる。
また、本発明の表示装置によれば、前記マスク模様と重なる前記第１図素の割合は、前記マスク部材が前記第１位置から前記第２位置へ向かって移動するに従い増大し、前記マスク部材が前記第１位置から前記第２位置まで移動する間において、前記マスク模様の隙間から露出する前記第１図素の割合が５０％以上となる第１時間長さは、前記マスク部材が前記第１位置から前記第２位置まで移動するのに要する所定時間長さの５０％以上であるので、前記マスク部材が前記第１位置から前記第２位置へ移動するまでの間において、遮蔽補完効果によって前記第１の図形又は記号が可視化された状態が一定時間持続すると共に、可視化の度合いが徐々に低下していく。これにより、前記第１の図形又は記号が読み取れる時間を一定時間確保しつつ、表示が徐々に風化するような時間の経過を表現できる。
【００１６】
また、本発明の時計は、上記表示装置を用いるので、正時において時刻表示を正確に表示しつつ、表示を次の時刻表示へ徐々に移行させることができ、砂時計のように時間の流れを感じさせることができる。
【図面の簡単な説明】
【００１７】
【図１】本発明の第１の実施形態にかかる表示装置の概略分解斜視図。
【図２】図１に示す表示装置において用いる図素の作成方法を説明する模式図。
【図３】図１に示す表示装置が備えるマスク部材が第１位置に位置し、第１の元図が可視化されている状態を示す正面図。
【図４】図３に示すマスク部材が第２位置に位置し、第２の元図が可視化されている状態を示す正面図。
【図５】図３に示すマスク部材が第１位置と第２位置の間に位置する状態を示す正面図。
【図６】図１に示す表示装置における第１図素の露出率の変化を表すグラフ。
【図７】本発明の第２の実施形態にかかる表示装置の概略分解斜視図。
【図８】図７に示す表示装置における第１図素及び第２図素の露出率の変化を表すグラフ。
【発明を実施するための形態】
【００１８】
以下、本発明の実施の形態を図１〜図８に基づいて説明する。
［第１の実施形態］
【００１９】
本発明の第１の実施形態に係る表示装置について図１〜図６を参照して説明する。図１を参照して、本実施形態に係る表示装置１は、遮蔽補完効果を利用して図形又は記号を可視化（表示）させるものであって、ベース部材２と、ベース部材２のベース面２ａに近接し、かつ対向して配置されたマスク部材３と、マスク部材３をベース面２ａに対して第１所定方向Ｄ１に相対的に移動させる駆動機構（図示せず）と、を備える。
【００２０】
ベース部材２の素材については各種の公知の固体や弾性体などが適宜使用でき、例えば製造が容易な材料として、木材、プラスチック、ゴム、金属、セラミクス等やこれらの組み合わせ、またこれらの材料に各種の表面処理を施したものを利用できる。
【００２１】
マスク部材３は、一定形状を保持可能な透明素材からなる板状部材からなり、マスク部材３を介してベース面２ａを視認可能とされている。また、マスク部材３にはベース面２ａを部分的に遮蔽するためのマスク模様５が施されており、ベース面２ａのうちマスク模様５と重なる部分は視認できないようにされている。
【００２２】
マスク模様５は、ベース面２ａからの光を遮断する材料を用いて形成され、例えば不透明な顔料インク等を用いてマスク部材３に印刷されて形成されてもよく、或いはマスク部材３に光学フィルターや偏光フィルターなどを複数個配列させて形成されてもよい。
【００２３】
マスク模様５は、第１ストライプ模様５０と、第１ストライプ模様５０とは異なる第２ストライプ模様５１と、を含み、第２ストライプ模様５１は第１ストライプ模様５０よりも第１所定方向Ｄ１上流側に位置している。なお、マスク模様５は、第１ストライプ模様５０よりも第１所定方向Ｄ下流側に位置する他のストライプ模様（図示せず）をも含むが、ここでは発明の理解を容易にするため当該ストライプ模様の説明は省略する。第１ストライプ模様５０と第２ストライプ模様５１は、それぞれ第１所定方向Ｄ１と垂直な第２所定方向Ｄ２に概略並列に並んだ複数本の第１ライン５０ａと第２ライン５１ａから構成される。
【００２４】
ベース部材２は第１図素６ａと第２図素６ｂを有する。なお、図１に示す例では、これら第１図素６ａ及び第２図素６ｂはベース面２ａ上に表記されている。第２図素６ｂは第１図素６ａよりも第１所定方向Ｄ１下流側に位置している。図２（ａ）に示すように、第１図素６ａは、元図４ａとしての第１の図形又は記号（ここでは数字の「１」）から、第１ストライプ模様５０に対応する特定部分を消去して残った部分画像の集合である。また、図２（ｂ）に示すように、第２図素６ｂは、元図４ｂとしての第２の図形又記号（図２に示す例では数字の「２」）から、第１ストライプ模様５０に対応する特定部分を消去して残った部分画像の集合である。
【００２５】
かかる構成において、図３に示すように、マスク部材３が所定の第１位置Ｐ１に位置するとき、第１ストライプ模様５０の隙間から第１図素６ａがマスク部材３の透過部分を介して視認可能に露出し、遮蔽補完効果によって元図４ａが可視化され、観者は元図４ａ（「１」）を読み取ることができる。なお、この状態においては、上述した他のストライプ模様（図示せず）によって第２図素６ｂが少なくとも部分的遮蔽され、元図２ｂの可視化が防止されている。
【００２６】
この状態からマスク部材３が第１所定方向Ｄ１へ所定の第２位置Ｐ１まで移動すると、第１ストライプ模様５０の隙間から第２図素６ｂがマスク部材３の透過部分を介して視認可能に露出し、遮蔽補完効果によって元図４ｂが可視化され、観者は元図４ｂ（「２」）を読み取ることができる。その一方で、第１図素６ａは第２ストライプ模様５１によって部分的に遮蔽され、露出率が低下することで遮蔽補完効果が損なわれ、元図４ａの可視化が妨げられている。ここで、以下の説明において「表示」とは遮蔽補完効果によって元図が可視化されることを意味し、「非表示」又は「表示されない」とは遮蔽補完効果が損なわれ又は妨げられることにより元図が可視化されないことを意味するものとする。
【００２７】
露出率とはマスク模様５の間隙から現れている図素の割合をいう。図３に示すようにマスク部材３が第１位置Ｐ１に位置するとき、第１図素６ａの露出率は最大（１００％）となる。また、図４に示すように、マスク部材３が第２位置Ｐ２に位置するとき、第２図素６ｂの露出率は最大（１００％）となる一方で、第１図素６ａは第２ストライプ模様５１によって部分的に遮蔽され、第１図素６ａの露出率は５０％を大きく下回り、元図４ａが非表示とされている。
【００２８】
このように、本実施形態の表示装置１では、マスク部材３を第１位置Ｐ１に位置させることで元図４ａを表示させ、マスク部材３を第２位置Ｐ２に位置させることで元図４ｂを表示させる一方で、元図４ａを非表示としている。
ここで、上述したような好ましい遮蔽補完効果を得るためには、第１及び第２所定方向Ｄ１，Ｄ２に垂直な第３所定方向Ｄ３（ベース面２ａに垂直な方向）において、図素６ａ，６ｂとマスク部材３とが十分近接しているのが好ましく、具体的には、図素６ａ，６ｂとマスク部材３の距離が図２に示す所定高さＨ１に対して０．１倍以下であるのが好ましく、０．０１倍以下であるのがより好ましい。
【００２９】
そして、図３に示すように元図４ａが表示されている状態から、図４に示すように元図４ｂが表示され元図４ａが表示されない状態へ、瞬間的に切り替えることも考えられるが、本実施形態においては、図３に示す表示状態から図４に示す表示状態へ次のようにして徐々に変化させていくことで、時間の経過を実感できるように構成されている。
【００３０】
図５に、マスク部材３が第１位置Ｐ１から第１所定方向Ｄ１へ少し移動したが第２位置Ｐ２までは到達していない状態を示す。
第１ストライプ模様５０によって遮蔽される第１図素６ａの割合は、第１位置Ｐ１のときよりも少し増大し、遮蔽補完効果がわずかに損なわれているが、元図４ａの読み取りには問題なく、元図４ａの可視化が成立している。このような状態は、第１ストライプ模様５０によって遮蔽される第１図素６ａの割合が小さいとき、すなわち、第１ストライプ模様５０（マスク模様５）の間隙からの第１図素６ａの露出率が十分大きいときに実現され、具体的には露出率が５０％以上であれば可視化が十分に成立する。
そして、表示状態を徐々に変化させるためには、図素の露出率（図素の遮蔽率）を徐々に変化させて行けばよい。
【００３１】
図６は、表示状態の変化の様子を第１図素６ａの露出率の変化で表した概念図である。縦軸はマスク模様５の隙間から第１図素６ａが露出する割合（露出率）を表し、横軸は第１所定方向Ｄ１におけるマスク部材３の位置を表し、第１位置Ｐ１から第２位置Ｐ２への移動にかかる時間長さ（所定時間長さ）はＬである。
【００３２】
図６に示すように、第１位置Ｐ１では第１図素６ａの露出率が１００％なので、元図４ａが明確に表示される（図３の状態）。その後、マスク部材３が第１位置Ｐ１から第１所定方向Ｄ１へ移動するのに従い第１図素６ａの露出率が漸減し、図５に示すような中間状態を経て第２位置Ｐ２に達するが、第２位置Ｐ２に達する前に露出率が５０％以下となり、元図４ａは表示されなくなる（図４の状態）。
【００３３】
そして、マスク部材３が第１位置Ｐ１から第２位置Ｐ２へ移動するまでの間において、第１図素６ａの露出率が５０％以上となる時間長さ（第１時間長さ）Ｌ１は所定時間長さＬの５０％以上であるのが好ましく、このように第１時間長さＬ１を所定時間長さＬに対して十分長くすることで、元図４ａが表示された状態を十分長く維持することができ、また露出率を漸減させることで元図４ａの表示の度合いを徐々に低下させることができる。
【００３４】
更に、本実施形態では、マスク部材３が第１位置Ｐ１に近づくにつれて第１図素６ａの露出率が漸増するように設定されており、第１位置Ｐ１よりも第１所定方向Ｄ１上流側の第３位置Ｐ３において第１図素６ａの露出率が５０％に達し、マスク部材３が第３位置Ｐ３から第１位置Ｐ１まで移動するのに要する時間長さ（第２時間長さ）Ｌ２は、第１時間長さＬ１よりも短くなるように設定されている。これは、元図４ａが現れる（可視化されて表示される）ときの方が変化が急で、消え行くときの方が変化が緩やかであることを意味する。
【００３５】
次に、上述したような望ましい元図の表示／非表示（遮蔽補完効果の発揮及び抑制）を実現するために必要な条件について説明する。
【００３６】
望ましい元図の表示（遮蔽補完効果の発揮）は、以下に述べる本数条件、隙間条件、角度条件が合わせて成り立つときに実現しやすい。
すなわち、図２（ａ）に示すように、第１図素６ａは、ベース面２ａ上において第２所定方向Ｄ２に所定高さＨ１を有する領域を占めるが、マスク部材３が第１位置Ｐ１にあるとき、第１図素６ａが占めるベース面２ａ上の当該領域と重なる第１ライン５０ａの本数が４本〜１０本であって、且つ第２所定方向Ｄ２において、隣り合う一対の第１ライン５０ａ，５０ａの間の隙間の大きさが当該一対の第１ライン５０ａ，５０ａの太さの平均値の０．２倍〜０．７倍であるのが好ましく、第１ライン５０ａの本数が６本〜８本であって、且つ第１ライン５０ａ，５０ａの間の隙間の大きさが当該一対の第１ライン５０ａ，５０ａの太さの平均値の０．３倍〜０．５倍であるのがより好ましい。
【００３７】
第１ライン５０ａの本数がこれよりも少なすぎて且つ細過ぎたり、多すぎて細すぎたりすると、蔽補完効果を抑制しにくくなり、また第１ライン５０ａの本数が少な過ぎて太すぎると、良好な遮蔽補完効果が得られにくくなり、更に第１ライン５０ａの本数が多すぎて太すぎると第１ストライプ模様５０に対する第１図素６ａの領域割合が小さくなり過ぎて、元図４ａを読み取り難くなるためである。
【００３８】
また、第１所定方向Ｄ１に対する各第１ライン５０ａの角度は±１０度以内であるのが好ましく、±５度以内であるのがより好ましい。角度が大きいほどマスク部材３の移動に伴う遮蔽率の変化が大きくなるため、角度が±１０度より大きくなると上述した第１時間長さＬ１及び第２時間長さＬ２が短くなりすぎて、元図が表示された状態を十分長く維持することができないためである。
【００３９】
次に、望ましい元図の非表示（遮蔽補完効果の抑制）は、以下に述べる本数条件、隙間条件が合わせて成り立つときに実現しやすい。
すなわち、マスク部材３が第２位置Ｐ２にあるとき、第２ストライプ模様５１により第１図素６ａを良好に遮蔽する（元図４ａを非表示とする）には、第１図素６ａが占めるベース面２ａ上の上記領域と重なる第２ライン５１ａの本数が２本〜６本であって、且つ第２所定方向Ｄ２において、隣り合う一対の第２ライン５１ａ、５１ａの間の隙間の大きさが当該一対の第２ライン５１ａ，５１ａの太さの平均値の０．５倍〜５倍であるのが好ましく、第２ライン５０ａの本数が３本〜５本であって、且つ第２ライン５１ａ、５１ａの間の隙間の大きさが当該一対の第２ライン５１ａ，５１ａの太さの平均値の１倍〜３倍であるのがより好ましい。
【００４０】
第２ライン５１ａの本数がこれよりも少なすぎて、かつ細過ぎると蔽補完効果を抑制しにくくなり、また第２ライン５１ａの本数が多すぎて、かつ太すぎると蔽補完効果は抑制されすぎ、第２ライン５１ａの隙間からの第１図素６ａの露出具合を調整することが困難になるので好ましくない。
【００４１】
上述したように本実施形態の表示装置１は、第１ストライプ模様５０の遮蔽補完効果によって複数の図形や記号を読み取れるよう徐々に出現させ、また徐々に消滅させられるので、図形や記号が認識できるのは一瞬だけでなく、そこからずれた状態でも一定の時間は読み取ることができる。
【００４２】
従って、１００％表示から０％表示に至る中間状態を適宜表すことができ、それによって図形や記号が徐々に風化するような”状態の経過”を発生させる効果がある。
【００４３】
また、本実施形態の表示装置１は、表示したい図形や記号に対して第１ライン５０ａの本数や間隙や角度の大きさを同時に調整することによって遮蔽の割合や変化速度を調整するので、遮蔽補完効果をより高めて表示したい図形や記号を読み取りやすくすることができる。
【００４４】
また、本実施形態の表示装置１は、表示したくない図形や記号に対して第２ライン５１ａの本数や間隙の大きさを同時に調整することによって遮蔽の割合を調整するので、遮蔽補完効果を抑制して表示したくない図形や記号を読み取りにくくすることができる。
【００４５】
そして、本実施形態の表示装置１は、遮蔽割合の変化が移動方向に対して非対称なので、ある図形や記号の表示が終わろうとしていることが容易に分かり、次の図形や記号への表示の移行を明確におこなうことができる。  
［第２の実施形態］
【００４６】
次に、本発明の第２の実施形態にかかる表示装置について図７、図８を参照して説明する。なお、本実施形態において、上述した第１の実施形態におけるものと実質同一の部材については同一の参照番号を付し、その説明は省略する。
【００４７】
図７を参照して、本実施形態にかかる表示装置１０１は、上記表示装置１を時計に応用したものであって、表示装置１と同様の構成を有するが、マスク部材１０３がベース部材１０２のベース面１０２ａ中心から伸びる回転駆動軸７を中心に回転可能とされており、第１所定方向Ｄ１が回転駆動軸７を中心とする回転方向（時計回り方向）とされている点において異なる。
【００４８】
このため、マスク模様１０５が有する第１ストライプ模様５０と第２ストライプ模様５１を構成する複数本の第１ライン５０ａと第２ライン５１ａの並び方向は、マスク部材１０３の径方向となる。
【００４９】
また、ベース面１０２ａ上には、時計の文字盤における１時から１２時までの時字位置に対応して１２個の図素（図７には１時，２時，及び３時にそれぞれ対応する第１図素１０６ａ、第２図素１０６ｂ、及び第３図素１０６ｃのみ示す）が表記されている。
【００５０】
本実施形態における遮蔽補完効果を利用した元図の表示及び非表示の原理は上述した第１の実施形態と同じなので説明を省略する。
【００５１】
図８は、本実施形態における表示状態の移り変わりの様子を図素の露出率の変化で表した概念図である。縦軸はマスク模様１０５の隙間から図素が露出する割合を表し、横軸は第１所定方向Ｄ１０１へのマスク部材１０３の移動位置（回転角度位置）を表している。本実施形態では、マスク部材１０３は１時に第１位置Ｐ１に位置し、２時に第２位置Ｐ２に位置し、第１位置Ｐ１から第２位置Ｐ２までの所定時間長さＬは１時間である。
【００５２】
図８に示すように、マスク部材１０３が第１位置Ｐ１に位置するとき、第１図素１０６ａが大きく露出し、元図の「１」の文字が最大に可視化（表示）され、観者は現在の時刻が１時であることを認識できる。そして、マスク部材１０３が第１位置Ｐ１から第２位置Ｐ２に向かうに従い第１図素１０６ａの露出率が漸減するので、「１」の文字が徐々に消えて見え難く（認識しにくく）なり、第２位置Ｐ２の直前で「１」の文字はほとんど見えなくなり、代わりに元図の「２」の文字が見え始める。そして、マスク部材１０３が第２位置Ｐ２に達すると、第２図素１０６ｂの露出率が１００％となり、元図の「２」が最大に可視化（表示）され、観者は現在の時刻が２時であることを認識できる。これを他の時刻にも同様に行い、各時刻の表示と次の時刻への移り変わりを表現している。
【００５３】
このように、表示装置を時計に用いることによって、可視化される時刻表示が持続され、デジタル時計のように時刻を正確に表示しながらも徐々に次の時刻に移行する様子も表示できるので、砂時計のように時間の流れを感じさせることができる。
【００５４】
また、本発明の表示装置を時計に用いる場合、現れ方や消え方の変化を自在に調整できるのでデザイン価値を高めることができる。
【００５５】
以上、本発明の実施形態に係る表示装置について添付の図面を参照して説明したが、本発明はかかる実施形態に限定されず、本発明の範囲を逸脱することなく種々の変形、修正が可能である。
【００５６】
例えば、マスク部材３（１０３）の形状は、図１に示す矩形や図７に示す円形に限らない。また、マスク部材３（１０３）は、可撓性を有する帯状体であってもよい。
【００５７】
また、図素が設けられたベース面２ａ（１０２ａ）の上に透明な保護層などを設けてもよい。また、上記実施形態では、図素はベース面２ａ（１０２ａ）に設けられているが、本発明はこれに限定されず、透明素材からなるベース部材２（１０２）の内部にレーザー刻印などにより形成されたものであっても良く、マスク部材２（１０３）側から視認可能なものであれば構わない。
【００５８】
また、ベース面２ａ（１０２ａ）の形状は平坦面である必要はなく、円柱面や球面であってもよい。
【００５９】
マスク部材３（１０３）の移動方向（第１所定方向Ｄ１）は、ベース面２ａ（１０２ａ）が平坦面の場合は、並進移動や回転移動、それらを組み合わせたものなどが可能であり、ベース面２ａ（１０２ａ）が円柱面の場合は、円柱軸に沿った方向への並進移動や、円周方向への回転移動（周回移動）などが可能である。
【００６０】
マスク部材３（１０３）の第１所定方向Ｄ１への移動を可能にする駆動機構は、上記のように並進移動や回転移動に応じて適宜公知のものを用いることができる。例えば電動モーターなどのアクチュエーターにギアなどの減速手段と、回転運動を直線運動に変換する公知の機構を適宜組み合わせたものなどを用いることができる。
【００６１】
上記実施形態では、第１ストライプ模様５０と第２ストライプ模様５１とは離隔しているが、第１ストライプ模様５０と第２ストライプ模様５１とを連続して設けても良く、第１ストライプ模様５０と第２ストライプ模様５１とが部分的に重複するものであってもよい。また、マスク模様５は複数本のラインから構成されてもよく、一本の連続したライン（例えば渦巻状のライン）から構成されても良く、これらの場合にはマスク模様５の所定領域部分を第１ストライプ模様とし、他の領域部分を第２ストライプ模様とすれば良い。
【００６２】
更に、ベース面２ａ（１０２ａ）に表記される図素の数は２個や１２個に限定されず任意の個数とすることができる。
【００６３】
上記実施形態では、図素を有するベース部材（２，１０２）の手前にマスク模様（５）を含むマスク部材（３,１０３）が配置されているが、ベース部材を透明部材とし、マスク模様を含むマスク部材の手前に図素を有するベース部材を配置し、図素がマスク模様と光学的に干渉するよう設定しても、上述したのと同様な遮蔽補完効果が期待できる。この場合、マスク部材が第１位置にあるとき、第１図素の隙間から第１ストライプ模様が露出して第１の図形または記号が可視化され、第２位置にあるとき、第２図素の隙間から第１ストライプ模様が露出して第２の図形または記号が可視化されると共に記第２ストライプ模様と第１図素が第３方向において部分的に重なることで第１ストライプ模様が部分的に光学的に遮蔽されて第１の図形または記号の可視化が妨げられる。そして、マスク模様と重なる第１図素の割合は、マスク部材が第１位置から第２位置へ向かって移動するに従い増大する。
【符号の説明】
【００６４】
１，１０１      表示装置
２，１０２      ベース部材
２ａ，１０２ａ  ベース面
３，１０３      マスク部材
５，１０５      マスク模様
５０            第1ストライプ模様
５０ａ          第１ライン
５１            第２ストライプ模様
５１ａ          第２ライン
６ａ，１０６ａ  第１図素
６ｂ、１０６ｂ  第２図素
１０６ｃ        第３図素
Ｄ１            第1所定方向
Ｄ２            第２所定方向
Ｄ３            第３所定方向
Ｈ１            所定高さ
Ｌ              所定時間長さ
Ｌ１            第１時間長さ
Ｌ２            第２時間長さ
Ｐ１            第１位置
Ｐ２            第２位置
Ｐ３            第３位置
【図１】
2020003347.tif 000003
【図２】
2020003347.tif 000004
【図３】
2020003347.tif 000005
【図４】
2020003347.tif 000006
【図５】
2020003347.tif 000007
【図６】
2020003347.tif 000008
【図７】
2020003347.tif 000009
【図８】
2020003347.tif 000010